(57)【要約】【課題】製品に関する知識を持っていなければ、キャビネットに製品を安全に搭載することが困難である【解決手段】本発明によるキャビネット搭載ナビゲーションシステムは、機器収納キャビネットに搭載する搭載機器の属性を示す搭載機器情報を読み取る読み取り手段と、前記読み取り手段が読み取った前記搭載機器情報に基づいて、前記搭載機器を前記機器収納キャビネットに搭載した状態で前記機器収納キャビネットの重心が、前記機器収納キャビネットの転倒角を越えるか否かを判定する重心判定手段と、前記重心判定手段の判定結果と前記搭載機器情報とに基づいて、前記搭載機器を前記機器収納キャビネットに搭載する順序を決定する搭載指示情報決定手段とを含むことを特徴とする。【選択図】図４
2010191623.tif 000002
【特許請求の範囲】
【請求項１】
機器収納キャビネットに搭載する搭載機器の属性を示す搭載機器情報を読み取る読み取り手段と、
前記読み取り手段が読み取った前記搭載機器情報に基づいて、前記搭載機器を前記機器収納キャビネットに搭載した状態で前記機器収納キャビネットの重心が、前記機器収納キャビネットの転倒角を越えるか否かを判定する重心判定手段と、
前記重心判定手段の判定結果と前記搭載機器情報とに基づいて、前記搭載機器を前記機器収納キャビネットに搭載する順序を決定する搭載指示情報決定手段とを
含むことを特徴とするキャビネット搭載ナビゲーションシステム。
【請求項２】
読み取り手段が読み取った搭載機器情報に基づいて、機器収納キャビネットが搭載する電力供給部が、搭載機器が稼動するために必要な電力を供給可能か否かを判定する電源判定手段を含み、
搭載指示情報決定手段は、前記電源判定手段の判定結果と重心判定手段の判定結果と前記搭載機器情報とに基づいて、前記搭載機器を前記機器収納キャビネットに搭載する順序を決定する
請求項１記載のキャビネット搭載ナビゲーションシステム。
【請求項３】
機器収納キャビネットに搭載する搭載機器の総重量と、前記機器収納キャビネットにおいて搭載可能な重量とを比較し、前記搭載機器の総重量が前記機器収納キャビネットにおいて搭載可能な重量以下である場合に、前記搭載機器を搭載可能であると判定する重量判定手段を含み、
搭載指示情報決定手段は、前記重量判定手段が搭載可能であると判定すると、前記搭載機器を前記機器収納キャビネットに搭載する順序を決定する
請求項１又は請求項２記載のキャビネット搭載ナビゲーションシステム。
【請求項４】
機器収納キャビネットに搭載する搭載機器の総サイズと、前記機器収納キャビネットにおいて搭載可能なサイズとを比較し、前記搭載機器の総サイズが前記機器収納キャビネットにおいて搭載可能なサイズ以下である場合に、前記搭載機器を搭載可能であると判定するサイズ判定手段を含み、
搭載指示情報決定手段は、前記サイズ判定手段が搭載可能であると判定すると、前記搭載機器を前記機器収納キャビネットに搭載する順序を決定する
請求項１から請求項３のうちのいずれか１項に記載のキャビネット搭載ナビゲーションシステム。
【請求項５】
搭載順序決定手段は、前記搭載機器を前記機器収納キャビネットに搭載する順序を示す搭載指示情報を生成し、
前記搭載順序決定手段が生成した搭載指示情報を表示部に表示させる表示制御手段を含む
請求項１から請求項４のうちのいずれか１項に記載のキャビネット搭載ナビゲーションシステム。
【請求項６】
機器収納キャビネットに搭載する搭載機器の属性を示す搭載機器情報を読み取る読み取りステップと、
読み取った前記搭載機器情報に基づいて、前記搭載機器を前記機器収納キャビネットに搭載した状態で前記機器収納キャビネットの重心が、前記機器収納キャビネットの転倒角を越えるか否かを判定する重心判定ステップと、
判定結果と前記搭載機器情報とに基づいて、前記搭載機器を前記機器収納キャビネットに搭載する順序を決定する搭載指示情報決定ステップとを
含むことを特徴とするキャビネット搭載ナビゲーション方法。
【請求項７】
読み取り手段が読み取った搭載機器情報に基づいて、機器収納キャビネットが搭載する電力供給部が、搭載機器が稼動するために必要な電力を供給可能か否かを判定する電源判定ステップを含み、
搭載指示情報決定ステップで、前記電源判定ステップの判定結果と重心判定ステップの判定結果と前記搭載機器情報とに基づいて、前記搭載機器を前記機器収納キャビネットに搭載する順序を決定する
請求項６記載のキャビネット搭載ナビゲーション方法。
【請求項８】
コンピュータに、
機器収納キャビネットに搭載する搭載機器の属性を示す搭載機器情報を読み取る読み取り処理と、
読み取った前記搭載機器情報に基づいて、前記搭載機器を前記機器収納キャビネットに搭載した状態で前記機器収納キャビネットの重心が、前記機器収納キャビネットの転倒角を越えるか否かを判定する重心判定処理と、
判定結果と前記搭載機器情報とに基づいて、前記搭載機器を前記機器収納キャビネットに搭載する順序を決定する搭載指示情報決定処理とを
実行させるためのキャビネット搭載ナビゲーションプログラム。
【請求項９】
コンピュータに、
読み取り手段が読み取った搭載機器情報に基づいて、機器収納キャビネットが搭載する電力供給部が、搭載機器が稼動するために必要な電力を供給可能か否かを判定する電源判定処理を実行させ、
搭載指示情報決定処理で、前記電源判定処理における判定結果と重心判定処理における判定結果と前記搭載機器情報とに基づいて、前記搭載機器を前記機器収納キャビネットに搭載する順序を決定する
請求項８記載のキャビネット搭載ナビゲーションプログラム。
【発明の詳細な説明】
【技術分野】
【０００１】
本発明は、機器収納キャビネットへの機器の搭載方法をナビゲートするキャビネット搭載ナビゲーションシステム、キャビネット搭載ナビゲーション方法及びキャビネット搭載ナビゲーションプログラムに関する。
【背景技術】
【０００２】
コンピュータ製品等を機器収納キャビネット（以下、キャビネットという）に搭載する場合、重心を低くして転倒等を防止するため、重い機器を下方に配置することが行われている。この場合、これまでは、見た目通りに大きい製品を下から順番にキャビネットに搭載していけば特に問題が無かった。しかし、現状のコンピュータ製品等は、高密度化が進んでおり、製品の外見とは異なり、薄くても重い場合がある。そのため、コンピュータ製品等をキャビネットの許容量以上に搭載してしまい、キャビネットが破損、転倒する危険性がある。
【０００３】
キャビネットの安全性を確保するシステムとして、例えば、特許文献１には、搭載製品の重量算出とキャビネットの強度との比較を自動的に行い、結果を明示的に示すことにより、キャビネットが破損の危機が伴う状態となることを未然に防ぐシステムが記載されている。
【先行技術文献】
【特許文献】
【０００４】
【特許文献１】特開２００６−２７７２１７
【発明の概要】
【発明が解決しようとする課題】
【０００５】
しかし、特許文献１に記載されたシステムは、キャビネットの破損を未然に防ぐことを目的としており、キャビネットの転倒を防ぐことを目的とはしていない。上述のように、現状のコンピュータ製品は、高密度化が進んでおり製品の外見とは異なり薄くても重い場合がある。そのため、搭載された製品等の重心がキャビネットの転倒角の重心を超えてしまうケースが多々あり、地震時などにキャビネットが転倒する危険性がある。
【０００６】
また、データセンター等では、多種多様な製品を同一キャビネットに搭載する必要があるが、作業者が全ての製品の製品知識を持っていないケースが多いため、不適正なキャビネット搭載が行われてしまうことがある。
【０００７】
そこで、本発明は、製品に関する知識を持っていなくても、キャビネットに製品を安全に搭載することができるキャビネット搭載ナビゲーションシステム、キャビネット搭載ナビゲーション方法及びキャビネット搭載ナビゲーションプログラムを提供することを目的とする。
【課題を解決するための手段】
【０００８】
本発明によるキャビネット搭載ナビゲーションシステムは、機器収納キャビネットに搭載する搭載機器の属性を示す搭載機器情報を読み取る読み取り手段と、前記読み取り手段が読み取った前記搭載機器情報に基づいて、前記搭載機器を前記機器収納キャビネットに搭載した状態で前記機器収納キャビネットの重心が、前記機器収納キャビネットの転倒角を越えるか否かを判定する重心判定手段と、前記重心判定手段の判定結果と前記搭載機器情報とに基づいて、前記搭載機器を前記機器収納キャビネットに搭載する順序を決定する搭載指示情報決定手段とを含むことを特徴とする。
【０００９】
本発明によるキャビネット搭載ナビゲーション方法は、機器収納キャビネットに搭載する搭載機器の属性を示す搭載機器情報を読み取る読み取りステップと、読み取った前記搭載機器情報に基づいて、前記搭載機器を前記機器収納キャビネットに搭載した状態で前記機器収納キャビネットの重心が、前記機器収納キャビネットの転倒角を越えるか否かを判定する重心判定ステップと、判定結果と前記搭載機器情報とに基づいて、前記搭載機器を前記機器収納キャビネットに搭載する順序を決定する搭載指示情報決定ステップとを含むことを特徴とする。
【００１０】
本発明によるキャビネット搭載ナビゲーションプログラムは、コンピュータに、機器収納キャビネットに搭載する搭載機器の属性を示す搭載機器情報を読み取る読み取り処理と、読み取った前記搭載機器情報に基づいて、前記搭載機器を前記機器収納キャビネットに搭載した状態で前記機器収納キャビネットの重心が、前記機器収納キャビネットの転倒角を越えるか否かを判定する重心判定処理と、判定結果と前記搭載機器情報とに基づいて、前記搭載機器を前記機器収納キャビネットに搭載する順序を決定する搭載指示情報決定処理とを実行させるためのものである。
【発明の効果】
【００１１】
本発明によれば、製品に関する知識を持っていなくても、キャビネットに製品を安全に搭載することができる。
【図面の簡単な説明】
【００１２】
【図１】本発明によるキャビネット搭載ナビゲーションシステムの構成の一例を示すブロック図である。
【図２】キャビネット搭載ナビゲーションシステムが実行する処理例を示す流れ図である。
【図３】本発明によるキャビネット搭載ナビゲーションシステムの第２の実施形態を示す説明図である。
【図４】キャビネット搭載ナビゲーションシステムの最小の構成例を示す機能ブロック図である。
【発明を実施するための形態】
【００１３】
実施形態１．
以下、本発明の第１の実施形態について図面を参照して説明する。図１は、本発明によるキャビネット搭載ナビゲーションシステムの構成の一例を示すブロック図である。図１に示すように、搭載ナビゲーションシステム１は、製品情報読み取り部２、搭載演算部３、及び搭載指示情報表示部４を含む。
【００１４】
本実施形態では、機器収納キャビネットは、プログラムに従って動作するＣＰＵや、メモリ等の記憶部、ＲＦＩＤリーダ等の読み取り部を備えている。そして、搭載ナビゲーションシステム１は、キャビネットが備えているＣＰＵや記憶部、読み取り部によって実現される。なお、搭載ナビゲーションシステム１は、各製品からの情報伝達が一般的な手段（例えば、ＬＡＮ等を介して）であれば、パーソナルコンピュータ等（例えば、ノート型パーソナルコンピュータ）の情報処理装置によって実現されてもよい。
【００１５】
製品情報読み取り部２は、具体的には、ＲＦＩＤリーダ等の読み取り装置によって実現される。また、製品情報読み取り部２は、搭載ナビゲーションシステム１が備えるネットワークインタフェース部（例えば、電灯線ＬＡＮ用のネットワークインタフェース部）によって実現されてもよい。製品情報読み取り部２は、自己の製品情報を保持するキャビネット５やコンセントボックス６、キャビネット搭載製品７から製品情報（例えば、図１に示す５−１や６−１、７−１）を読み取る機能を備えている。製品情報読み取り部２は、情報の読み取り方法として、例えば、各機器に取り付けられた無線タグ（ＲＦＩＤタグ）から情報を読み取る。また、例えば、電灯線ＬＡＮ等を介して、各機器から情報を受信する。
【００１６】
搭載演算部３は、具体的には、プログラムに従って動作する情報処理装置のＣＰＵによって実現される。搭載演算部３は、製品情報読み取り部２が読み取った製品情報に基づいて、後述するキャビネット許容重量チェック、キャビネット搭載サイズチェック、重心チェック、電源チェック等の処理を実行し、搭載製品７の適正な搭載手順を算出する機能を備えている。
【００１７】
搭載指示情報表示部４は、具体的には、ディスプレイ装置等の表示装置によって実現される。搭載指示情報表示部４は、搭載演算部が算出した搭載手順を表示する機能を備えている。搭載指示情報表示部４は、搭載手順の表示として、例えば、「どの製品をどの順番でどのように電源を接続するのか」を示す搭載指示情報を表示する。なお、表示方法は、例えば、ＬＥＤ等の点滅や色の違いで表現しても良いし、液晶ディスプレイ装置等で文字表示しても良い。
【００１８】
図１に示すように、キャビネット５、コンセントボックス６及び搭載製品７（例えば、サーバ装置等のコンピュータ機器）は、それぞれ自己の特徴を示す製品情報を保持している。製品情報を保持する方法として、例えば、キャビネット５に製品情報を記憶したＲＦＩＤタグ等の記憶手段を取り付ける方法を用いてもよい。
【００１９】
キャビネット５に取り付けられた記憶手段が記憶する製品情報５−１は、搭載許容重量、搭載許容サイズ、及び搭載許容重心を含む。コンセントボックス６に取り付けられた記憶手段が記憶する製品情報６−１は、接続許容電力、コンセント数、及び重量を含む。搭載製品７に取り付けられた記憶手段が記憶する製品情報７−１は、重量、電力、高さ、重心、及びプラグ数を含む。
【００２０】
次に、搭載ナビゲーションシステム１の動作について説明する。図２は、搭載ナビゲーションシステム１が実行する処理例を示す流れ図である。
【００２１】
製品をキャビネットに搭載するために、作業者は、搭載指示情報の要求操作を行う。すると、製品情報読み取り部２は、作業者による読み取り操作に従って、キャビネット５の製品情報５−１、コンセントボックス６の製品情報６−１、及び搭載製品７の製品情報７−１を読み取る（ステップＳ１）。なお、搭載製品７の製品情報７−１はキャビネットが備える記憶部に予め記憶されていてもかまわない。
【００２２】
次いで、製品情報読み取り部２は、読み取った製品情報を搭載演算部３に送信する。そして、搭載演算部３は、受信したキャビネット５の製品情報５−１が含む搭載許容重量と、全てのコンセントボックス６の製品情報６−１が含む重量及び搭載製品７の製品情報７−１が含む重量の総和である総和重量とを、比較する。そして、搭載演算部３は、総和重量が搭載許容重量を超えるか否かを判定する（ステップＳ２）。
【００２３】
ステップＳ２において、総和重量が搭載許容重量を超えると判定した場合、搭載ナビゲーションシステム１は、搭載指示情報表示部４を用いて、搭載製品を減らす旨の警告を通知（表示）する（ステップＳ３）。その後、搭載ナビゲーションシステム１は、処理動作を終了する。
【００２４】
ステップＳ２において、総和重量が搭載許容重量を超えないと判定した場合、搭載演算部３は、キャビネット５の製品情報５−１が含む搭載許容サイズと、全ての搭載製品７の製品情報７−１が含む高さ方向のサイズの総和である総和サイズとを比較する。そして、搭載演算部は、総和サイズが搭載許容サイズを超えるか否かを判定する（ステップＳ４）。
【００２５】
ステップＳ４において、総和サイズが搭載許容サイズを超えると判定する場合、搭載ナビゲーションシステム１は、搭載指示情報表示部４を用いて、搭載製品を減らす旨の警告を通知（表示）する（ステップＳ３）。その後、搭載ナビゲーションシステム１は、処理動作を終了する。
【００２６】
ここまでで警告がなければ、搭載演算部３は、全ての搭載製品７を、製品情報７−１が含む重量に基づいて重い順にソートを行い、搭載する順番を決定する（ステップＳ５）。具体的には、搭載演算部３は、重い機器から順に、キャビネットの下方から搭載するように順序を決定する。
【００２７】
次いで、搭載演算部３は、搭載対象となる搭載製品７があるか否かを判定する（ステップＳ６）。
【００２８】
ステップＳ６において、搭載対象となる搭載製品７があると判定すると、搭載演算部３は、キャビネット５の空きエリアの下側から、搭載対象である搭載製品７を割り付ける（ステップＳ７）。
【００２９】
次いで、搭載演算部３は、割り付けた搭載製品７の製品情報７−１が含む重心と、既に搭載済みの全ての搭載製品７の重心とに基づいて、既知の重心計算方法を用いて、全体の重心を算出する。そして、搭載演算部３は、算出した値がキャビネット５の製品情報５−１が含む搭載許容重心を超えるか否かを判定する（ステップＳ８）。
【００３０】
ステップＳ８において、搭載許容重心を超えると判定すると、搭載ナビゲーションシステム１は、搭載指示情報表示部４を用いて、搭載製品を搭載できない旨の警告を通知（表示）する（ステップＳ９）。その後、搭載ナビゲーションシステム１は、ステップＳ６に移行して、次の搭載順である搭載製品に対象を移し、処理を継続する。
【００３１】
ステップＳ８において、搭載許容重心を超えないと判定すると、搭載演算部３は、搭載製品７の製品情報７−１が含むプラグ数と、キャビネット７に搭載されているコンセントボックス６の製品情報６−１が含むコンセント数のうち未使用のコンセントの総和とを比較する。また、搭載演算部３は、キャビネットの接続許容電力と、搭載製品７の製品情報７−１が含む電力及び既に接続されている搭載製品の電力の総和とを比較する（ステップＳ１０）。
【００３２】
ステップＳ１０において、製品のプラグ数が未使用コンセント数を超える場合、あるいは使用電力が接続許容電力を超える場合、搭載ナビゲーションシステム１は、搭載指示情報表示部４を用いて、搭載製品を搭載出来ない旨の警告を通知（表示）する（ステップＳ９）。その後、搭載ナビゲーションシステム１は、ステップＳ６に移行して、次の搭載順である搭載製品に対象を移し、処理を継続する。
【００３３】
ステップＳ１０において、製品のプラグ数が未使用コンセント数を超えず、かつ、使用電力が接続許容電力を超えないと判定した場合、搭載ナビゲーションシステム１は、搭載製品を搭載可能と判断し、一時記憶部（図示せず）に保存する。そして、搭載ナビゲーションシステム１は、ステップＳ６に移行して、次の搭載順である搭載製品に対象を移し、処理を継続する（ステップＳ１１）。
【００３４】
ステップＳ６において、搭載対象となる搭載製品７がないと判定すると、搭載演算部３は、一時記憶部から搭載可能となった製品の情報を抽出し、抽出した情報に基づいて、搭載指示情報を生成する。そして、搭載ナビゲーションシステム１は、搭載指示情報が示す搭載順番に従って、搭載指示情報表示部４を用いて、搭載指示を通知（表示）する。また、既に搭載した製品を外す場合にも、同様に、搭載ナビゲーションシステム１は、搭載指示情報表示部４を用いて、その旨の指示を通知（表示）する。
【００３５】
次いで、搭載演算部３は、搭載指示情報に基づいて、搭載可能な製品があるか否かを判定する（ステップＳ１３）。
【００３６】
ステップＳ１３において、搭載可能な製品が存在すると判定した場合、搭載ナビゲーションシステム１は、再度最初から全搭載チェックを行い、正しく搭載されたか検証する。
【００３７】
ステップＳ１３において、搭載可能な製品が存在しないと判定した場合、搭載ナビゲーションシステム１は、全ての搭載作業が完了したと判断し、処理を終了する。
【００３８】
以上のように、本実施形態では、搭載ナビゲーションシステム１は、キャビネット及びキャビネットに搭載する製品の製品情報５−１，６−１，７−１を読取る手段である製品情報読み取り部２を含む。また、搭載ナビゲーションシステム１は、読み込んだ製品情報５−１，６−１，７−１を入力することにより、キャビネット搭載手順を自動的に算出する搭載演算部３と、その算出結果である搭載指示情報４−１を、外部に伝えるための搭載指示情報表示部４とを含む。
【００３９】
製品情報読み取り部２が製品情報を読み取ると、搭載演算部３は、まず、重量チェックとサイズチェックとを行う。そして、許容範囲であると、搭載演算部３は、全ての製品を重量の重い順にソートする。そして、搭載演算部３は、ソートした順にキャビネットの空きエリアに下側から割り付け、重心チェックと電源チェックとを行う。そして、搭載演算部３は、チェックをクリアした製品を搭載可能と判断し、搭載指示情報を生成する。その後、搭載ナビゲーションシステム１は、搭載指示情報表示部４に搭載指示情報を出力する。
【００４０】
このように、搭載演算部３が、重量チェック及びサイズチェックを行うため、作業者は、製品がキャビネットに収まるかどうか知ることができる。また、搭載演算部３が、重心チェックを行うため、搭載された製品等の重心がキャビネットの転倒角の重心を超えて、キャビネットの転倒の原因となることを未然に防ぐことができる。また、搭載演算部３が、電源チェックを行うため、作業者は、キャビネットに搭載した製品が使用可能かどうか知ることができる。なお、本実施形態では、搭載ナビゲーションシステム１は、搭載指示情報を一度にまとめて通知（表示）したが、例えば、製品の搭載を完了すると次の通知（表示）を行うようにしてもよい。
【００４１】
従って、本実施形態によれば、作業者が製品に関する知識を持っていなくても、キャビネットに製品を安全に搭載することができる。
【００４２】
実施形態２．
次に、本発明の第２の実施形態について図面を参照して説明する。図３は、本発明によるキャビネット搭載ナビゲーションシステムの第２の実施形態を示す説明図である。図３では、製品情報読み取り方法として、電灯線ＬＡＮを介して、各機器から製品情報を読み取る方法を用いる例を示す。なお、本実施形態において、搭載ナビゲーションシステムの構成及び機能は、第１の実施形態で示したものと同様である。
【００４３】
製品をキャビネットに搭載するために、作業者は、Ｔ１に示すように、空いているコンセントボックスに搭載する製品のプラグを任意に挿入する。すると、電灯線ＬＡＮは、各製品５０，６０，７０から製品情報５０−１，６０−１，７０−１を読み取り、コンセントボックスを経由して搭載ナビゲーションシステム１に送信する。
【００４４】
次いで、Ｔ２に示すように、搭載ナビゲーションシステム１は、搭載演算部２０−１を用いて、受信した製品情報に基づいて、キャビネット許容重量チェック、キャビネット搭載サイズチェック等、実施形態１と同様に搭載可能か否かを判断するチェックを行う。そして、搭載ナビゲーションシステム１は、判断結果に基づいて、搭載可能製品の搭載指示情報を算出する。
【００４５】
次いで、搭載ナビゲーションシステム１は、搭載指示情報に基づいて、Ｔ３に示すように、最初に搭載する製品と、残りのプラグを接続可能なコンセントとをＬＥＤ等で点灯して指示（表示）する。そして、作業者は、その指示に基づいて、製品をキャビネットに搭載し、搭載した製品の残りのプラグをコンセントボックスに接続する。例えば、Ｔ３に示す例では、製品６と接続されているコンセントのＬＥＤが点灯していることから、作業者は、最初に搭載する製品が製品６であることを知ることができる。また、コンセントボックス３０−２のＬＥＤが点灯していることから、作業者は、製品６のプラグを接続可能なコンセントを知ることができる。
【００４６】
なお、本実施形態では、搭載指示情報表示部として、ＬＥＤ等を点灯して通知する場合を説明するが、液晶ディスプレイ装置等の高解像度画面を用いて文字等で指示を表示してもよい。
【００４７】
Ｔ３と同様に、搭載ナビゲーションシステム１は、Ｔ４、Ｔ５に示すように、次に搭載する製品を指示（表示）する。そして、作業者は、その指示に基づいて、製品をキャビネットに搭載し、搭載した製品の残りのプラグをコンセントボックスに接続する。このことにより、Ｔ６に示すように、キャビネットに製品を適正に搭載することができる。
【００４８】
以上のように、本実施形態では、搭載ナビゲーションシステム１は、搭載指示情報を算出し、算出した搭載指示情報に基づいてＬＥＤ等を点灯することで、キャビネットへの適正な搭載手順を指示する。従って、以下に記載するような効果を奏する。
【００４９】
第１の効果は、搭載作業者に製品知識が無くても、キャビネットの適正な位置に製品を搭載出来ることである。その理由は、搭載ナビゲーションが、適正な搭載指示を搭載製品の順番毎に示すからである。
【００５０】
第２の効果は、無駄な搭載作業を省くことが出来ることである。その理由は、搭載ナビゲーションが、製品を搭載する前に搭載可能か否かを判断し、その結果を示すからである。
【００５１】
第３の効果は、キャビネットに製品を適正に搭載することによって、地震等によるキャビネット転倒、電力不足によるシステムダウン等の危険を未然に防ぐことが出来ることである。その理由は、搭載ナビゲーションが、危険を回避出来る適正なキャビネット搭載条件を算出し、その条件通りにキャビネット搭載を行うためである。
【００５２】
次に、本発明によるキャビネット搭載ナビゲーションシステムの最小構成について説明する。図４は、キャビネット搭載ナビゲーションシステムの最小の構成例を示す機能ブロック図である。図４に示すように、キャビネット搭載ナビゲーションシステム１００は、最小の構成要素として、読み取り手段１１０と、重心判定手段１２０と、搭載指示情報決定手段１３０とを含む。
【００５３】
図４に示す最小構成のキャビネット搭載ナビゲーションシステムによれば、重心判定手段１２０は、読み取り手段１１０が読み取った製品情報に基づいて、製品をキャビネットに搭載した場合に、キャビネットに搭載された製品の重心位置が、キャビネットの転倒角を越えるか否かを判定する。そして、搭載指示情報決定手段１３０は、重心判定手段１２０の判定結果と製品情報とに基づいて、製品をキャビネットに搭載する順序を決定する。そのため、作業者は、決定された順序に従って製品をキャビネットに搭載すれば、製品に関する知識を持っていなくても、キャビネットに製品を安全に搭載することができる
【００５４】
なお、本実施形態では、以下の（１）〜（５）に示すようなキャビネット搭載ナビゲーションシステムの特徴的構成が示されている。
【００５５】
（１）キャビネット搭載ナビゲーションシステムは、機器収納キャビネットに搭載する搭載機器の属性を示す搭載機器情報（例えば、製品情報５−１等）を読み取る読み取り手段（例えば、製品情報読み取り部２によって実現される）と、読み取り手段が読み取った搭載機器情報に基づいて、搭載機器を機器収納キャビネット（例えば、キャビネット５）に搭載した状態で機器収納キャビネットの重心（例えば、製品情報７−１が含む重心に基づいて算出される）が、機器収納キャビネットの転倒角（例えば、製品情報５−１が含む搭載許容重心）を越えるか否かを判定する重心判定手段（例えば、搭載演算部３によって実現される）と、重心判定手段の判定結果と搭載機器情報とに基づいて、搭載機器を機器収納キャビネットに搭載する順序を決定する搭載指示情報決定手段（例えば、搭載演算部３によって実現される）とを含むことを特徴とする。
【００５６】
（２）キャビネット搭載ナビゲーションシステムは、読み取り手段が読み取った搭載機器情報に基づいて、機器収納キャビネットが搭載する電力供給部（例えば、コンセントボックス６によって実現される）が、搭載機器が稼動するために必要な電力を供給可能か否かを判定する（例えば、製品情報６−１が含む接続許容電力やコンセント数等に基づいて供給可能か否かを判定する）電源判定手段（例えば、搭載演算部３によって実現される）を含み、搭載指示情報決定手段は、電源判定手段の判定結果と重心判定手段の判定結果と搭載機器情報とに基づいて、搭載機器を機器収納キャビネットに搭載する順序を決定するように構成されていてもよい。
【００５７】
（３）キャビネット搭載ナビゲーションシステムは、機器収納キャビネットに搭載する搭載機器の総重量（例えば、製品情報７−１が含む重量に基づいて算出される）と、機器収納キャビネットにおいて搭載可能な重量（例えば、製品情報５−１が含む搭載許容重量）とを比較し、搭載機器の総重量が機器収納キャビネットにおいて搭載可能な重量以下である場合に、搭載機器を搭載可能であると判定する重量判定手段を含み、搭載指示情報決定手段は、重量判定手段が搭載可能であると判定すると、搭載機器を機器収納キャビネットに搭載する順序を決定するように構成されていてもよい。
【００５８】
（４）キャビネット搭載ナビゲーションシステムは、機器収納キャビネットに搭載する搭載機器の総サイズ（例えば、製品情報７−１が含む高さに基づいて算出される）と、機器収納キャビネットにおいて搭載可能なサイズ（例えば、製品情報５−１が含む搭載許容サイズ）とを比較し、搭載機器の総サイズが機器収納キャビネットにおいて搭載可能なサイズ以下である場合に、搭載機器を搭載可能であると判定するサイズ判定手段を含み、搭載指示情報決定手段は、サイズ判定手段が搭載可能であると判定すると、搭載機器を機器収納キャビネットに搭載する順序を決定するように構成されていてもよい。
【００５９】
（５）キャビネット搭載ナビゲーションシステムにおいて、搭載順序決定手段は、搭載機器を機器収納キャビネットに搭載する順序を示す搭載指示情報（例えば、搭載指示情報４−１）を生成し、搭載順序決定手段が生成した搭載指示情報を表示部（例えば、搭載指示情報表示部４によって実現される）に表示させる表示制御手段を含むように構成されていてもよい。
【産業上の利用可能性】
【００６０】
本発明は、データセンタ等において、キャビネットに機器を搭載する用途に適用可能である。
【符号の説明】
【００６１】
１  搭載ナビゲーションシステム
２  製品情報読み取り部
３  搭載演算部
４  搭載指示情報表示部
５  キャビネット
６  コンセントボックス
７  搭載製品
１００  キャビネット搭載ナビゲーションシステム
１１０  読み取り手段
１２０  重心判定手段
１３０  搭載指示情報決定手段
【図１】
2010191623.tif 000003
【図２】
2010191623.tif 000004
【図３】
2010191623.tif 000005
【図４】
2010191623.tif 000006